(57)【要約】【課題】  Ｘ線管保持装置の天井走行移動を、撮影術式（水平位撮影、立位撮影）の選択に応じた撮影位置のみで、停止することができるＸ線一般撮影用システムを提供する。【解決手段】  Ｘ線制御装置１６の撮影術式選択スイッチ１６ａによって、または操作パネル７の撮影術式選択スイッチよって、水平位又は立位撮影を選択する。選択された信号がＸ線管保持装置５のＸ線管保持装置制御部２２に送られる。そこで撮影術式位置が識別される。操作者はハンドル９と操作パネル７の操作スイッチを操作し、天井のキャリッジ部３の移動、支柱４の伸縮、Ｘ線管６の垂直軸及び水平軸回りの回転を行い、Ｘ線管６を水平撮影台１２又は立位撮影台１３の方向に移動させる。その時、選択された撮影術式に応じた位置のみで、Ｘ線管保持装置５が一旦停止する。そして、この撮影位置で一般撮影を行う。【選択図】          図１
2005328932.tif 000002
【特許請求の範囲】
【請求項１】
横臥式撮影か立位式撮影かのいずれかの撮影術式を選択しＸ線管のＸ線撮影条件を設定するＸ線制御装置と、高電圧発生装置から高電圧が印加されるＸ線管を天井走行式で吊設保持するＸ線管保持装置と、前記撮影術式を識別する制御部と、撮影のための操作条件を設定し操作信号を発生させるとともに、撮影術式を表示する操作パネルと、前記Ｘ線管保持装置の作動によってＸ線管が撮影位置にセットされ撮影を行う複数の撮影台と、前記天井走行式で懸垂されプリセットされた撮影位置でＸ線管保持装置を一旦停止させるセンタファインドモード機構とを備え、撮影位置を確認して撮影するＸ線一般撮影用システムであって、前記Ｘ線制御装置と制御部との間で選択された撮影術式に関する信号の送受を行う通信手段を設け、Ｘ線制御装置で選択された撮影術式を前記制御部で識別し最後に選択された撮影位置のみで前記センタファインドモード機構を作動させることを特徴とするＸ線一般撮影用システム。
【請求項２】
操作パネルをＸ線管保持装置に設置し、この操作パネルにて撮影術式を選択できるように構成するとともに、操作パネルと制御部間で撮影術式に関する信号の送受を行う通信手段を設けたことを特徴とする請求項１記載のＸ線一般撮影システム。
【発明の詳細な説明】
【技術分野】
【０００１】
本発明は、Ｘ線管を保持するＸ線管保持装置と水平撮影台および立位撮影台を一つの検査室に配置して使用する一般撮影用システムに係わり、特に、天井などから吊設されたＸ線管を、操作パネル部に設けられた操作スイッチとハンドルで前後左右に走行させ、上下移動させ、垂直軸回りに回動（旋回）及び水平軸回りに回転させて撮影位置にセットするＸ線一般撮影用システムに関する。
【背景技術】
【０００２】
Ｘ線一般撮影用システムは、Ｘ線管を保持するＸ線管保持装置と水平撮影台および立位撮影台を一つの検査室に配置して、被検者に造影剤を注入するといった特別な処理をすることなく、また、特殊な装置を用いることなく、胸腹部と骨格系の診断を中心にして、単純撮影を行うシステムである。
比較的簡単な撮影で豊富な診断情報が得られ、検査に苦痛を伴わないこと、胸腹部や骨格系の被検者が多く、撮影画像から直接診断を下す以外に、他の画像診断や検査を計画するための情報を得る役目を果たす。
Ｘ線一般撮影用システムは、Ｘ線制御装置を備えた高電圧発生装置と、Ｘ線管を保持し位置決めするＸ線管保持装置と、撮影するための水平撮影台及び立位撮影台とから構成される。
【０００３】
高電圧発生装置は、一般撮影用システムで最も多く行われる胸部単純撮影で、脊椎や気管支、大動脈などが重なる縦隔部とＸ線透過率の大きい肺野を１枚の画像に撮影し、さらに、胸隔全体が肋骨に覆われて心臓の拍動もあることから、高電圧・短時間で撮影を行うことが多く、比較的小容量の電源でも短時間特性の優れた大容量のＸ線を発生できるインバータ方式が用いられる。
Ｘ線管保持装置は、天井走行懸垂式の保持装置が多く用いられ、天井にレールを設け、これに懸架した台車から伸縮可能な支柱を吊設し、その下端に取付ブロックを介してＸ線管を取付けたもので、左右・前後走行、上下移動、及び、Ｘ線管装置の回動（垂直軸回り）、回転（水平軸回り）などが可能であり、左右・前後走行、上下移動の位置の固定は電磁ロック式のものが使用され、また、Ｘ線管装置の回動（垂直軸回り）設定には特定位置にストッパ手段による方式が用いられている。この天井走行式のＸ線管保持装置を用いれば、床に構造物が無いため、床面を有効に利用することができ、水平撮影台（ブッキー撮影台など）、立位撮影台（リーダ撮影台、ブッキー撮影台など）、Ｘ線透視撮影台等と組み合わせて診断することができる（例えば、特許文献１参照。）。
水平撮影台は、骨格系や腹部の撮影で被検者を搭置する通常ブッキーテーブルと呼ばれる水平式の寝台であり、天板下にカセッテを装着するブッキー装置が取付けられており、天板には固定式とフローティング式とがある。
立位撮影台は、主に胸腹部の撮影に用いられ、通常ブッキースタンドと呼ばれるカセッテを１枚１枚装着するタイプと、カセッテレス方式のフィルムチェンジャ・タイプに大別される。両者ともに胸部を１枚のフィルムに納めるために、半切フィルムを使用できるタイプが主流である。
【０００４】
図５に、Ｘ線一般撮影用システムの構成図を示す。Ｘ線一般撮影用システムは、Ｘ線制御装置５６を有した高電圧発生装置１５と、天井からＸ線管６が懸垂され走行する天井懸垂式のＸ線管保持装置５ａと、水平撮影台１２および立位撮影台１３とから構成される。
高電圧発生装置１５を制御するＸ線制御装置５６では、撮影術式選択スイッチ５６ａで検査室に設置された撮影台（水平撮影台１２及び立位撮影台１３）による被検者の撮影術式（水平撮影又は立位撮影）が選択される。そして、被検者の撮影部位および体厚によってＸ線条件（撮影電圧、撮影電流、撮影時間など）が設定される。撮影時に操作する撮影スイッチ１７が装備されている。
天井走行懸垂式のＸ線管保持装置５ａは、天井に固定された固定レール１上を矢印で示す長手方向に移動でき、その下部に移動レール２を備え、その移動レール２上を矢印で示す短手方向に移動できるキャリッジ部３が取付けられ、短手・長手両方向に移動することができる。キャリッジ部３には装置のロック機構を制御するＸ線管保持装置制御部５２が内蔵する。そして、その下部に上下に伸縮する支柱４を備え、下端に取付ブロックを介してコリメータ８付きのＸ線管６とハンドル９と操作スイッチおよび表示部を設けた操作パネル５７を懸垂する。
Ｘ線管保持装置５ａのＸ線管６が水平撮影台１２上または立位撮影台１３前方の撮影中心ライン上に位置したとき、一旦停止するようにキャリッジ部３の上部にストップピン５１が設けられ、それに対向して移動レール２側にそれぞれストッパ穴板５８及びストッパ穴板５９が設けられている（センタファインドモード機構）。
【０００５】
図６に、Ｘ線管６、水平撮影台１２、立位撮影台１３の相対配置平面図を示す。
水平撮影台１２と立位撮影台１３が矢印で示す長手方向と短手方向に距離をオフセットされて配置されている。水平撮影台１２使用時の撮影中心と、立位撮影台１３使用時の撮影位置が異なり、図５に示す天井懸垂式のＸ線管保持装置５ａを天井走行させてＸ線管６を移動してセットされる。このとき水平撮影台１２使用時の撮影中心と、立位撮影台１３使用時の撮影位置でセンタファインドモード機構が作動し、水平撮影台１２で撮影する時には図５に示すストップピン５１がストッパ穴板５８に挿入され一旦停止する。また、立位撮影台１３で撮影する時にはストップピン５１がストッパ穴板５９に挿入され一旦停止する。そして、撮影位置を確認して撮影を行うことができる。
【０００６】
図７（ａ）に、図５に示す操作パネル５７の正面図を示し、（ｂ）に、操作パネル５７に表示される表示ランプの表示模様を示す。操作パネル５７は、円形状のハンドル９を備え、操作パネル５７の周囲に、左右動フリースイッチ１０ａ、前後動フリースイッチ１０ｂ、および、図５に示す支柱４の伸縮による上下動フリースイッチ１０ｄ、１０ｃ、３方向動フリースイッチ１０ｅ、１０ｆと、図５に示すＸ線管６の水平軸回転フリースイッチ１０ｇおよび垂直軸回転フリースイッチ１０ｈなどが配置されている。そして、中央部上部に、センタファインドモード表示ランプ１１ａ、操作方向表示ランプ１１ｂと、中央下部に撮影条件、管球角度、ＳＩＤなどを表示する表示部１１が設けられ、下部にセンタファインドモード選択スイッチ１０ｉ、照射野ランプスイッチ１０ｊが設けられている。
（ｂ）に示す表示ランプは、操作パネル５７面のセンタファインドモード選択スイッチ１０ｉをＯＮすると、センタファインドモード表示ランプ１１ａが点灯する。そして、図５に示すキャリッジ部３が移動レール２に設けられたストッパ穴板５８、またはストッパ穴板５９の位置に移動すると、操作方向がチェックされ、キャリッジ部３のストップピン５１が挿入され、キャリッジ部３が停止し、操作パネル５７の中央上部に設けられた操作方向表示ランプ１１ｂが点灯する。
【０００７】
操作者が図５に示すＸ線管６の前方に位置する操作パネル５７のハンドル９を握り、操作パネル５７に設けられた操作スイッチ（左右動フリースイッチ１０ａ、前後動フリースイッチ１０ｂ、上下動フリースイッチ１０ｄ、１０ｃ、３方向動フリースイッチ１０ｅ、１０ｆ）を操作することで、長手方向、短手方向、上下方向の電磁ロックが解除され、キャリッジ部３から懸垂された支柱４を、固定レール１、移動レール２上で長手・短手方向に移動させ、懸垂部の支柱４を上下方向に伸縮することができ、Ｘ線管６を自由に長手・短手・上下方向に移動させ、撮影位置にセットすることができる。そして、支柱４の垂直軸に対して管球保持金具を介してＸ線管６を回動（垂直軸回転）できる機能の垂直軸回転フリースイッチ１０ｈを操作し、特定の角度に回動し固定する。また、Ｘ線管６の取付軸を中心にして回転（水平軸回転）できる機能の水平軸回転フリースイッチ１０ｇを操作し、Ｘ線管６を水平軸回りに回転させ固定する。上記の操作によりＸ線管６のＸ線放射口に取付けられたコリメータ８を被検者の撮影部位に向けることができる。
【特許文献１】特開平６−１６５７７３号公報  （第６頁、第６図）
【発明の開示】
【発明が解決しようとする課題】
【０００８】
従来のＸ線一般撮影用システムは以上のように構成されているが、センタファインドモード機構によって、水平撮影台１２で仰臥位撮影する場合、Ｘ線管６を撮影台中心位置（長手、短手方向）で、Ｘ線管保持装置５ａが一旦停止する機能を有し、また、立位撮影台１３で立位撮影する場合、Ｘ線管６を撮影台中心位置（短手方向）と適当な撮影距離位置（長手方向）で、Ｘ線管保持装置５ａが一旦停止する機能を有する。従来技術には、この２点を識別する機能が無い。例えば仰臥位撮影を行う場合でも、Ｘ線管保持装置５ａが立位撮影用の位置で一旦停止する場合がある。また、この逆の場合もあり、意図する撮影位置へのセッティングに煩わしさを感じるという問題がある。特に、一般撮影は胸腹部や骨格系の被検者が多く、また、撮影画像から直接診断を下す以外に、他の画像診断や検査を計画するため他の診断分野からの検査依頼が多く、速やかに撮影をこなす必要がある。
本発明は、このような事情に鑑みてなされたものであって、Ｘ線管保持装置の天井走行移動を、撮影術式（水平位撮影、立位撮影のいずれか）の選択に応じた撮影位置のみで一旦停止することができるＸ線一般撮影用システムを提供することを目的とする。
【課題を解決するための手段】
【０００９】
上記の目的を達成するため、本発明のＸ線一般撮影用システムは、横臥式撮影か立位式撮影かのいずれかの撮影術式を選択しＸ線管のＸ線撮影条件を設定するＸ線制御装置と、高電圧発生装置から高電圧が印加されるＸ線管を天井走行式で吊設保持するＸ線管保持装置と、前記撮影術式を識別する制御部と、撮影のための操作条件を設定し操作信号を発生させるとともに、撮影術式を表示する操作パネルと、前記Ｘ線管保持装置の作動によってＸ線管が撮影位置にセットされ撮影を行う複数の撮影台と、前記天井走行式で懸垂されプリセットされた撮影位置でＸ線管保持装置を一旦停止させるセンタファインドモード機構とを備え、撮影位置を確認して撮影するＸ線一般撮影用システムであって、前記Ｘ線制御装置と制御部との間で選択された撮影術式に関する信号の送受を行う通信手段を設け、Ｘ線制御装置で選択された撮影術式を前記制御部で識別し最後に選択された撮影位置のみで前記センタファインドモード機構を作動させるものである。
【００１０】
また、本発明のＸ線一般撮影用システムは、操作パネルをＸ線管保持装置に設置し、この操作パネルにて撮影術式を選択できるように構成するとともに、操作パネルと制御部間で撮影術式に関する信号の送受を行う通信手段を設けたものである。
【００１１】
本発明のＸ線一般撮影用システムは上記のように構成されており、天井走行式のＸ線管保持装置のキャリッジ部がプリセットされた撮影位置（例えば、水平撮影台上方位置および立位撮影台前方位置）で一旦停止するセンタファインドモード機構を備え、Ｘ線制御装置側とＸ線管保持装置の操作パネル側との両方で撮影術式（例えば、横臥式撮影又は立位式撮影）の選択が出来るようにし、Ｘ線制御装置と制御部および操作パネルと制御部との間を通信回線で接続し、操作パネル側にも選択された撮影術式を表示する。そして、選択された撮影術式（例えば、横臥式撮影又は立位式撮影）の識別を制御部で行い、最後に選択された撮影術式の撮影位置のみで、センタファインドモード機構が作動するように構築し、その位置でＸ線管保持装置を一旦停止させる。
【発明の効果】
【００１２】
本発明のＸ線一般撮影用システムは上記のように構成されており、Ｘ線制御装置またはＸ線管保持装置の操作パネルで撮影術式（被検者の撮影方法）、例えば、水平撮影台で横臥式撮影を行うか、立位撮影台で立位式撮影を行うかを選択すると、横臥式撮影位置と立位式撮影位置が異なる配置であっても、制御部でその撮影術式が識別されて操作パネルに表示され、その選択された撮影術式に応じた位置のみで、Ｘ線管保持装置を一旦停止させることができる。そのため撮影術式に関係ない他方の撮影位置での一旦停止を省略して位置決めをすることができる。それによってＸ線管のセッティングの操作性を一段と向上させることができる。
【発明を実施するための最良の形態】
【００１３】
本発明のＸ線一般撮影用システムは、横臥式撮影位置と立位式撮影位置とが異なるレイアウトでも、撮影術式に応じた位置のみでＸ線管保持装置を一旦停止させることができる操作性の高いシステムを実現した。
【実施例】
【００１４】
本発明のＸ線一般撮影用システムの一実施例を、図１、図２を参照しながら説明する。
図１（ａ）は、本Ｘ線一般撮影用システムの配置図を示し、Ｘ線制御装置１６を備えた高電圧発生装置１５と、検査室に天井走行懸垂式のＸ線管保持装置５と、水平撮影台１２および立位撮影台１３が配置された斜視図を示し、（ｂ）は本Ｘ線一般撮影用システムの信号命令系統を示すブロック図である。  図２（ａ）は、操作パネル７の正面図を示し、（ｂ）に、操作パネル７に表示される表示ランプの表示模様を示す。
本発明のＸ線一般撮影用システムは、撮影術式選択スイッチ１６ａと撮影スイッチ１７を備えたＸ線制御装置１６を有する高電圧発生装置１５と、検査室に設置され上部のキャリッジ部３にＸ線管保持装置制御部２２とセンタファインドモード機構を備えた天井走行懸垂式のＸ線管保持装置５と、Ｘ線放射口にコリメータ８と側面にハンドル９と操作パネル７を備えたＸ線管６と、横臥式撮影を行う水平撮影台１２と、立位式撮影を行う立位撮影台１３とから構成される。
【００１５】
本Ｘ線一般撮影用システムにおいて、従来の装置と異なるところは、従来の装置は、図５に示すように、Ｘ線制御装置５６に設けられた撮影術式選択スイッチ５６ａによって撮影術式（横臥式撮影又は立位式撮影）を選択し、検査室に設けられたＸ線管保持装置５ａのハンドル９を握って操作パネル５７で操作し移動させても、センタファインドモード機構によって、水平撮影台１２上方の撮影中心位置、および、立位撮影台１３前方の撮影中心位置の２箇所で一旦停止してしまう。これに対し、本Ｘ線一般撮影用システムは、Ｘ線制御装置１６とＸ線管保持装置５が通信回線で接続され、Ｘ線制御装置１６の撮影術式選択スイッチ１６ａ、または、操作パネル７に設けられた撮影術式選択スイッチ１０ｋによって撮影術式（横臥式撮影又は立位式撮影）を選択すれば、キャリッジ部３に設けられたＸ線管保持装置制御部２２が両者の信号を識別し、最後に選択された撮影術式が操作パネル７に表示され、その撮影術式に応じてのみセンタファインドモード機構が作動し、水平撮影台１２上方の撮影中心位置、または、立位撮影台１３前方の撮影中心位置のいずれか、選択された撮影術式の撮影位置のみで停止する。操作者はその位置でＸ線管６をセッティングし、撮影スイッチ１７を押して撮影を行うだけでよい。
【００１６】
次に、本Ｘ線一般撮影用システムの各部構成について、図１、図２を参照しながら説明する。
高電圧発生装置１５は、Ｘ線管６に印加する高電圧を発生するもので、撮影術式選択スイッチ１６ａと撮影スイッチ１７を有するＸ線制御装置１６を備え、特に、胸部単純撮影用に大きい肺野を１枚の画像に撮影し、心臓の拍動もあることから、高電圧・短時間で撮影を行うことができ、比較的小容量の電源でも短時間特性の優れた大容量のＸ線を発生できるインバータ方式が用いられる。
Ｘ線制御装置１６は、Ｘ線制御に関する各種パラメータを設定するための操作器（撮影術式選択スイッチ１６ａなど）および表示器を備えたユニットで、使用時に操作者がどのような姿勢で操作するかによって、スタンド形操作卓またはデスク形操作卓に操作パネルが設けられ、また、Ｘ線検査室の壁に壁掛け卓の操作パネルが設けられる。そして、この操作パネルの側面に、操作者が手に持って操作しＸ線照射を制御する撮影スイッチ１７が装備されている。
【００１７】
Ｘ線管保持装置５は、検査室の天井に固定された固定レール１上を矢印で示す長手方向に移動でき、その下部に移動レール２を備え、その移動レール２上を矢印で示す短手方向に移動できるキャリッジ部３と、その下部に上下に伸縮する支柱４を備え、下端に取付ブロックを介してコリメータ８付きのＸ線管６とハンドル９と操作スイッチおよび表示部１１を設けた操作パネル７を懸垂して、短手・長手両方向に移動することができる。
キャリッジ部３は、内部にＸ線管保持装置制御部２２を備え、上部にセンタファインドモード機構を備えている。そして、操作パネル７の操作スイッチ（左右動フリースイッチ１０ａ、前後動フリースイッチ１０ｂ、３方向動フリースイッチ１０ｅ、１０ｆ）でロックを解除して、天井の長手・短手方向に設けられた固定レール１、および、移動レール２上を水平面内で移動する。
支柱４は、キャリッジ部３から懸垂され、下端に取付ブロックを介してＸ線管６を取付け、上下に伸縮するもので、操作スイッチ（上下動フリースイッチ１０ｃ、１０ｄ）でロックを解除して伸縮される。
Ｘ線管保持装置制御部２２は、キャリッジ部３に内蔵され、操作パネル７の操作スイッチを操作したとき、キャリッジ部３及び支柱４の動作、Ｘ線管６の回動（旋回）及び回転のロック／解除の制御を行う機能と、図１（ｂ）の信号指令の制御図に示すように、高電圧発生装置１５のＸ線制御装置１６と通信回線で接続され、Ｘ線制御装置１６の撮影術式選択スイッチ１６ａおよび操作パネル７の撮影術式選択スイッチ１０ｋからの選択された撮影術式信号をＸ線管保持装置制御部２２が識別し、操作パネル７の撮影術式表示ランプ１１ｃが点灯する。そして、最後に選択された撮影術式の撮影中心位置のみに応じてセンタファインドモード機構が作動するように指令する機能を有する。そして、操作パネル７に表示された操作表示記号通りに、操作スイッチを操作してキャリッジ部３及び支柱４の作動、Ｘ線管６の回動（旋回）及び回転をロック／解除制御することができる。また、センタファインドモード設定時（センタファインドモード選択スイッチ１０ｉをＯＮ状態にした時）にセンタファインドモード表示ランプ１１ａを点灯させ、キャリッジ部３を移動させると、移動レール２に設けられたストッパ穴板１８又はストッパ穴板１９の位置のいずれかの選択された撮影術式に応じた位置のみでストップピン２１が作動し、キャリッジ部３が一旦停止する。
【００１８】
図３に、検査室の装置の配置平面図を示す。センタファインドモード機構は、固定レール１上を移動する移動レール２に、水平撮影台１２上方の撮影中心位置および立位撮影台１３前方の撮影中心位置に対応する移動レール２の片側側面に、それぞれストッパ穴板１８およびストッパ穴板１９が設けられ、そのストッパ穴板１８、ストッパ穴板１９に挿入される停止用のストップピン２１がキャリッジ部３に設けられている。
図４に、センタファインドモード機構のメカニカル斜視図を示す。移動レール２のチャンネル型の鋼材レールの一方の内側にストッパ穴板１８が水平撮影台１２側の設定位置上に、ストッパ穴板１９が立位撮影台１３側の設定位置上に取付けられている。そして、支柱４を懸垂しているキャリッジ部３の上部に、ソレノイド２４によって作動するストップピン２１と、キャリッジ部３が短手方向に移動するとその位置を検出するポテンショメータ２３が設けられている。また、キャリッジ部３の内部にはＸ線管保持装置制御部２２が設けられ、ソレノイド２４、ポテンショメータ２３、Ｘ線制御装置１６および操作パネル７に接続されている。そして、図１（ｂ）に示すＸ線制御装置１６の撮影術式選択スイッチ１６ａ、または、操作パネル７の撮影術式選択スイッチ１０ｋで選択された撮影術式信号が、Ｘ線管保持装置制御部２２に送られ、ここで最終の撮影術式の識別が行われ、操作パネル７の撮影術式表示ランプ１１ｃが点灯する。
図２に示すセンタファインドモード選択スイッチ１０ｉをＯＮ状態にすると、センタファインドモード表示ランプ１１ａが点灯する。この状態でセンタファインドモードが設定される。そして、キャリッジ部３を移動させて、移動レール２に設けられたストッパ穴板１８、１９の合致する位置にキャリッジ部３を移動した時、操作方向表示ランプ１１ｂの前後動方向（説明の都合上、長手方向（左右動方向）のセンタファインドモード機構は省略）のランプが、操作パネル７の操作方向と一致して点灯する。選択された撮影術式位置でストップピン２１が作動し、ストッパ穴板１８、ストッパ穴板１９のいずれかに挿入され、キャリッジ部３は選択された撮影術式の撮影位置のみで停止する。
【００１９】
Ｘ線管６は、Ｘ線放射口にコリメータ８と側面にハンドル９と操作パネル７を備え、支柱４の下方部に管球保持金具を介して取付けられ、Ｘ線放射口にコリメータ８が取付けられる。そして、ハンドル９を握り操作パネル７の操作スイッチ（図２に示す垂直軸回転フリースイッチ１０ｈ、水平軸回転フリースイッチ１０ｇ）でロックを解除して、支柱４の周囲に回動（旋回）でき、かつ管球保持金具に対して水平軸を介して回転される。
図２に示す操作パネル７は、操作表示記号が表示された各種の操作スイッチと中央に表示部１１を備えるとともに、ハンドル９をＸ線管６に一体的に取付けられたもので、キャリッジ部３の移動及び支柱４の上下動に対するロック／解除制御用の操作スイッチ（左右動フリースイッチ１０ａ、前後動フリースイッチ１０ｂ、３方向動フリースイッチ１０ｅ、１０ｆ、上下動フリースイッチ１０ｃ、１０ｄ）と、Ｘ線管６の支柱４回りのロック／解除及び自動ロック制御用の操作スイッチ（垂直軸回転フリースイッチ１０ｈ）および管球保持金具に対する水平軸回転のロック／解除制御用の操作スイッチ（水平軸回転フリースイッチ１０ｇ）が設けられている。また、撮影術式を選択する撮影術式選択スイッチ１０ｋ、コリメータ８の照準光点灯用の照射野ランプスイッチ１０ｊ及びセンタファインドモード選択スイッチ１０ｉが下方に設けられている。
図２に示す表示部１１は、操作パネル７に設けられ中央部上部に撮影術式表示ランプ１１ｃ、センタファインドモード表示ランプ１１ａ、操作方向表示ランプ１１ｂ、及び中央下部に撮影条件、管球角度、ＳＩＤなどを表示する液晶部を有する。センタファインドモードは、センタファインドモード選択スイッチ１０ｉをＯＮするとセンタファインドモード表示ランプ１１ａが点灯し、キャリッジ部３が移動レール２上（説明の都合上、固定レール１上は省略）のストッパ穴板１８またはストッパ穴板１９の位置に移動すると停止し、それを確認して表示部１１の操作方向表示ランプ１１ｂの前後動表示ランプ（説明の都合上、左右動表示ランプ省略）が点灯し、キャリッジ部３が停止し、操作者は操作した方向を確認することができる。
【００２０】
水平撮影台１２は、骨格系や腹部の横臥式撮影で被検者を搭置する通常ブッキーテーブルと呼ばれる水平式の寝台であり、天板下にカセッテを装着するブッキー装置が取付けられている。天板には固定式とフローティング式とがある。
立位撮影台１３は、主に胸腹部の立位式撮影に用いられ、通常ブッキースタンドと呼ばれるカセッテを１枚１枚装着するタイプと、カセッテレス方式のフィルムチェンジャ・タイプに大別される。
【００２１】
次に、本Ｘ線一般撮影用システムの操作について図１にしたがって説明する。
検査室に立位撮影台１３（ブッキースタンド）や水平撮影台１２（ブッキーテーブル）及び透視撮影台などが据付けられ、Ｘ線管６を備えた天井走行懸垂式のＸ線管保持装置５と組み合せられて、正面撮影、胸部撮影、側面撮影、斜位撮影などが行われる。
操作者は、Ｘ線制御装置１６で、Ｘ線撮影条件を設定するために、撮影術式選択スイッチ１６ａによって撮影術式、例えば、通常の透視撮影、立位撮影、水平位撮影のいずれかを選択する。そして、撮影部位選択スイッチによって被検者の撮影部位、例えば、頭部、胸部、腹部、下肢などのいずれかを選択する。そして、撮影方向選択スイッチによって撮影方向、例えば、正面、側面、背面のいずれかを選択する。そして、被検者厚さ選択スイッチによって被検者の撮影部位の厚さを選択する。そして、撮影されるフィルム濃度を所定のレベルに濃度設定スイッチで設定する。
装置使用時に、操作者が容易にＸ線撮影条件（管電圧、管電流時間積、または、管電流、撮影時間）の設定を容易にできるように、アナトミカルプログラム方式が採用され、数百種類のＸ線条件が、操作パネルに記憶され、（１）撮影術式、（２）撮影部位、（３）撮影方向、（４）被検者厚さの４つを順番に選択するだけで、適切な撮影条件が操作パネルに表示される。そして、条件を変更する時は、管電圧設定スイッチ、管電流／管電流時間積設定スイッチ、撮影時間設定スイッチおよび濃度設定スイッチで変更することができる。
操作者は、検査室に入り、被検者を撮影台に位置させて、Ｘ線管保持装置５のハンドル９を握り、操作パネル７の撮影術式表示ランプ１１ｃを確認し、または、撮影術式選択スイッチ１０ｋによって撮影術式を変更してもよい。そして、操作パネル７の操作スイッチを操作してＸ線管６を、撮影術式の撮影台の方向に移動させる。選択された撮影術式の撮影台の撮影中心にＸ線管６が位置したとき、Ｘ線管保持装置制御部２２からの指令によりセンタファインドモード機構が作動し、一旦停止する。この位置が撮影中心位置となる。ここでＸ線管６を撮影方向に向けセッティングする。
操作者は別室のＸ線制御装置１６のところに戻り、撮影操作はＸ線制御装置１６の照射用ハンドスイッチの撮影準備スイッチ（図示せず）と撮影スイッチ１７によって行われる。Ｘ線照射の制御はデッドマン方式でなければならないので、操作者が手に持って操作する撮影スイッチ１７が用いられる。撮影スイッチ１７は、Ｘ線制御装置１６とケーブルで接続され、撮影準備スイッチと撮影スイッチ１７の２段階操作スイッチを備え、１段目の撮影準備スイッチを操作すると、Ｘ線制御装置１６はＸ線照射準備（Ｘ線管６の回転陽極が回転開始等）を行い、一定時間経過後（Ｘ線管６の回転陽極が所定の高速回転に達するまでの時間後）に準備完了となる。そして、操作者はＸ線制御装置１６に表示される準備完了表示を確認後、被検者が呼吸を止めるタイミングを見計らって、２段目の撮影スイッチ１７を操作し、Ｘ線照射を行う。
【００２２】
上記の実施例では、Ｘ線制御装置１６を高電圧発生装置１５に設けたが、Ｘ線制御装置１６単独で構成するシステムでもよい。
また、Ｘ線管保持装置５に設けられたＸ線管保持装置制御部２２について説明したが、制御部はＸ線管保持装置５以外の場所に設けてもよい。
また、センタファインドモード機構が短手方向のみに構築された場合について説明したが、長手方向についても同様に適用することができる。
また、検査室に配置され撮影台として水平撮影台１２と立位撮影台１３について説明したが、水平撮影台１２と立位撮影台１３以外に透視撮影台なども配置された複数の撮影台のシステムでも同様に適用することができる。
また、センタファインドモード機構として、メカニカルなストップピン２１の作動によって停止する機構について説明したが、キャリッジ部３が停止する撮影中心位置を記憶装置に記憶させソフトウエアで制御し、ポテンショメータ２３からの信号によって、キャリッジ部３を電磁ブレーキでロックして停止させる方法でも同様に適用することができる。
【図面の簡単な説明】
【００２３】
【図１】本発明のＸ線一般撮影用システムの実施方法の説明図である。
【図２】本発明のＸ線一般撮影用システムの操作パネル部の説明図である。
【図３】本発明のＸ線一般撮影用システムのストッパ機構を説明する図である。
【図４】本発明のＸ線一般撮影用システムのストッパ機構の斜視図である。
【図５】従来のＸ線一般撮影用システムを説明するための図である。
【図６】検査室の一般撮影用システムの配置図である。
【図７】従来のＸ線一般撮影用システムの操作パネルの説明図である。
【符号の説明】
【００２４】
１  固定レール
２  移動レール
３  キャリッジ部
４  支柱
５  Ｘ線管保持装置
６  Ｘ線管
７  操作パネル
８  コリメータ
９  ハンドル
１０ａ  左右動フリースイッチ
１０ｂ  前後動フリースイッチ
１０ｃ、１０ｄ  上下動フリースイッチ
１０ｅ、１０ｆ  ３方向動フリースイッチ
１０ｇ  水平軸回転フリースイッチ
１０ｈ  垂直軸回転フリースイッチ
１０ｉ  センタファインドモード選択スイッチ
１０ｊ  照射野ランプスイッチ
１０ｋ  撮影術式選択スイッチ
１１  表示部
１１ａ  センタファインドモード表示ランプ
１１ｂ  操作方向表示ランプ
１１ｃ  撮影術式表示ランプ
１２  水平撮影台
１３  立位撮影台
１５  高電圧発生装置
１６  Ｘ線制御装置
１６ａ  撮影術式選択スイッチ
１７  撮影スイッチ
１８  ストッパ穴板
１９  ストッパ穴板
２１  ストップピン
２２  Ｘ線管保持装置制御部
２３  ポテンショメータ
２４  ソレノイド
【図１】
2005328932.tif 000003
【図２】
2005328932.tif 000004
【図３】
2005328932.tif 000005
【図４】
2005328932.tif 000006
【図５】
2005328932.tif 000007
【図６】
2005328932.tif 000008
【図７】
2005328932.tif 000009